(57)【特許請求の範囲】
【請求項１】
コンクリート型枠のための支持装置（１）であって、
少なくとも２つの長手支持体（３）を備えた少なくとも１つの多重支持体（２）を有し、長手支持体（３）が少なくとも１つの結合部材（５）を介して互いに結合されている、ものにおいて、
長手支持体（３）の各々が、結合部材（５）を挿通させるための挿通開口部（６）を有しており、
結合部材（５）が長手支持体（３）の長手方向に対して垂直に摺動可能に挿通開口部（６）の各々内に配置されており、
結合部材（５）が、長手支持体（３）の第一のものの挿通開口部（６）中に正確な嵌め合いで配置されており、
長手支持体（３）の第一のものの挿通開口部（６）と結合部材（５）とは、対応する断面積を有しており、
結合部材（５）が、長手支持体（３）の第二のものの挿通開口部（６）内に、長手支持体（３）の第二のものの長手方向に摺動可能に配置されているので、
長手支持体（３）の間の間隔及び長手支持体（３）の互いに対する角度位置が可変である、
ことを特徴とするコンクリート型枠のための支持装置。
【請求項２】
結合部材（５）が横断面において実質的に円形であって、挿通開口部（６）が長手支持体（３）を正確な嵌め合いで配置するために、円穴（７）として形成されている、
ことを特徴とする請求項１に記載の支持装置。
【請求項３】
挿通開口部（６）が、長手支持体（３）を長手方向に摺動可能に配置するために、長穴（８）として形成されている、
ことを特徴とする請求項１又は２に記載の支持装置。
【請求項４】
長手支持体（３）が、２つの結合部材（５）を挿通させるために、それぞれ少なくとも２つの長手方向に離隔した挿通開口部（６）を有している、
ことを特徴とする請求項１から３のいずれか１項に記載の支持装置。
【請求項５】
結合部材（５）の各々が、長手支持体（３）の長手方向に離隔した挿通開口部（６）の一方の挿通開口部（６）内に実質的に正確な嵌め合いで、かつ他方の挿通開口部（６）内に長手支持体（３）の長手方向に摺動可能に配置されている、
ことを特徴とする請求項４に記載の支持装置。
【請求項６】
結合部材（５）が、挿通開口部（６）を貫通する一方の端部において、外側のストッパ部材（９）と結合されており、前記外側のストッパ部材によって長手支持体（３）の外側へ向いた摺動が制限可能である、
ことを特徴とする請求項１から５のいずれか１項に記載の支持装置（１）。
【請求項７】
外側のストッパ部材（９）として、結合部材（５）の拡幅された端部領域又は結合部材（５）上に配置されるディスク部材（１０）及び／又は結合部材（５）の横孔に挿通されるボルト部材（１１）が設けられている、
ことを特徴とする請求項６に記載の支持装置（１）。
【請求項８】
長手支持体（３）の間の結合部材（５）が内側のストッパ部材（１３）と結合されており、前記内側のストッパ部材によって長手支持体（３）の内側へ向いた摺動が制限可能である、
ことを特徴とする請求項１から７のいずれか１項に記載の支持装置。
【請求項９】
内側のストッパ部材（１３）として、長手支持体（３）の回りに配置されたスリーブ部材（１４）が設けられている、
ことを特徴とする請求項８に記載の支持装置。
【請求項１０】
少なくとも１つの長手支持体（３）が少なくとも一方の端面側にストッパ（１５）を有しており、
前記ストッパが、駆動位置に関して、長手支持体（３）の下側から下方へ張り出している、
ことを特徴とする請求項１から９のいずれか１項に記載の支持装置。
【請求項１１】
長手支持体（３）の少なくとも１つが、型枠パネルのための固定ストリップ（１８）を特に取り外し可能に収容するための、上側の切り欠き（１７）を有している、
ことを特徴とする請求項１から１０のいずれか１項に記載の支持装置。
【請求項１２】
複数の多重支持体（２）が設けられており、多重支持体（２）の下側が少なくとも１つの一次支持体（４）上に支持可能である、
ことを特徴とする請求項１から１０のいずれか１項に記載の支持装置。
【発明の詳細な説明】
【技術分野】
【０００１】
本発明は、コンクリート型枠、特に天井型枠、のための支持装置であって、２つの長手支持体を備えた少なくとも１つの多重支持体を有し、長手支持体が少なくとも１つの結合部材を介して互いに結合されている、支持装置に関する。
【背景技術】
【０００２】
特許文献１からは、コンクリートパネルからなる型枠構造のための種概念に基づく支持装置が知られている。
支持装置は、２つの長手支持体から構成されるユニットを有しており、それらの長手支持体が調節可能な結合ステイを介して互いに結合されている。
第１の形態において、結合ステイは２つの互いにジョイント結合された部分からなり、それらの部分がそれぞれジョイントを介して付属の長手支持体に支承されている。これらの部分が互いに揺動することによって、長手支持体の間の間隔を変更することができる。
さらに第２の形態が記述されており、それにおいては結合ステイが一方の長手支持体に、かつ長手方向に摺動可能に他方の長手支持体に支承されている。
【０００３】
したがってすでに、この従来技術においては、長手支持体の間の間隔は調節可能な結合部材によって調節することができる。
しかし好ましくないことに、長手支持体の変位を可能にするためには、支持体に固定的に取り付けられた軸とジョイントが必要である。
この種の形態は、構造的に複雑であって、高い製造コストを伴う。
さらに、ジョイントもしくは長手ガイド内に汚れが堆積することによって、機能の不具合が発生し得る欠点がある。
【０００４】
特許文献２と特許文献３は、天井型枠のための他の支持装置が知られているが、その支持装置は上で説明した従来技術の欠点に関して、それを越える解決策を提供するものではない。
特許文献４は、フレームを介して互いに結合された支持体パケットからなる天井型枠システムを記述している。
特許文献５は、他の種類のコンクリート構造のための支持装置を記述している。
【先行技術文献】
【特許文献】
【０００５】
【特許文献１】仏国特許出願公開第２９５５８７７（Ａ１）号明細書
【特許文献２】仏国特許出願公開第２８４２８４８（Ａ１）号明細書
【特許文献３】仏国特許出願公開第２９００１７６（Ａ１）号明細書
【特許文献４】独国特許出願公開第１０２３４４４５（Ａ１）号明細書
【特許文献５】米国特許出願第３８４１５９７号明細書
【発明の概要】
【発明が解決しようとする課題】
【０００６】
それに対して本発明の課題は、多重支持体の長手支持体の互いに対する変位を構造的に簡単な手段で可能にする、冒頭で挙げた種類の確実に機能する永続的な支持装置を提供することにある。
【課題を解決するための手段】
【０００７】
この課題は、冒頭で挙げた種類の支持装置において、長手支持体の少なくとも１つが結合部材を挿通するための挿通開口部を有しており、その場合に結合部材が挿通開口部内に長手支持体の長手方向に対して実質的に垂直に摺動可能に配置されているので、長手支持体の間の間隔もしくは長手支持体の互いに対する角度位置が可変であることによって、解決される。
【０００８】
本発明によれば、長手支持体を貫通する挿通開口部が設けられており、その場合に結合部材が挿通開口部内で長手方向に摺動可能に配置されている。
その場合に挿通開口部は、長手支持体のそれぞれ他方の長手支持体へ向いた側面から他方の長手支持体とは逆の側壁まで延びているので、結合部材がそれぞれの長手支持体を完全に貫通する。それぞれ長手支持体の間の調節された間隔に従って、結合部材はそれに応じてそれぞれ他方の長手支持体から離れるように、長手支持体から外側へ向かって張り出す。したがって長手支持体は、長手支持体の間の間隔を減少させるために結合部材に沿って内側へ向かって、他方の長手支持体の方向へ摺動することができる。
長手支持体の間の間隔を増大させるためには、長手支持体は結合部材に沿って外側へ摺動される。
その場合に結合部材は、少なくとも長手支持体の長手方向に対して実質的に垂直の方向に、もしくは結合部材の長手方向に摺動される。しかし、その場合に、それぞれ挿通開口部の形態に応じて、結合部材は同時に長手支持体の長手方向に摺動することができる。
結合部材を摺動可能に配置するための挿通開口部によって、多重支持体の長手支持体の間の間隔を、特に簡単なやりかたで変化させることができる。
好ましくは、本発明に係る形態において、結合部材を支承するための固定的に取り付けられた揺動軸を省くことができ、その揺動軸は従来技術においては構造的に複雑であって、機能を損ないやすい。
それに対して本発明に係る結合部材は軸をもたず、すなわち長手支持体に固定的に取り付けられた軸なしで、長手支持体の挿通開口部内に保持されている。
したがって構造的に簡単な支持装置を得ることができ、その支持装置は特にわずかな製造コストも特徴としている。
多重支持体は、好ましくは、正確に２つの長手支持体を有する二重支持体として形成されており、代替的な形態においては２つより多くの支持体が設けられている。
【０００９】
特に好ましい形態において、長手支持体はそれぞれ結合部材を挿通するための挿通開口部を有している。
この形態において、両方の長手支持体に挿通開口部が形成されており、その場合に結合部材は挿通開口部内で、長手支持体の長手方向に対して横方向に、ないしは結合部材の長手方向に摺動可能に、保持されている。したがってこの形態において、両方の長手支持体は結合部材上に摺動可能に配置されている。
長手支持体の間の所望の間隔を調節するために、長手支持体の少なくとも一方が結合部材に沿って摺動され、その場合に結合部材は一方の長手支持体の保持開口部から然るべき区間だけ外側へ摺動されている。
それぞれ長手支持体の間の間隔に従って、結合部材がそれに応じた距離だけ長手支持体の外側の側壁から外側へ張り出す。
【００１０】
結合部材が長手支持体の挿通開口部の少なくとも１つの中に実質的に正確な嵌め合いで配置されている場合に、結合部材は、挿通開口部を通って摺動する際に予め定められた方向を強制することができる。
したがってこの形態において、挿通開口部と結合部材はそれに応じた横断面積を有している。
結合部材に沿って長手支持体が摺動することによって、長手支持体の間の間隔は変化することができる。
【００１１】
この目的のために、結合部材の横断面が実質的に円形であると効果的であって、その場合に挿通開口部は長手支持体を正確な嵌め合いで配置するために円孔として形成されている。結合部材は、好ましくはパイプ形状に形成されている。
【００１２】
他方で、結合部材が挿通開口部の少なくとも１つの中で長手支持体の長手方向に摺動可能に配置されていると、効果的である。
この形態においては、長手支持体の間の間隔だけでなく、長手支持体の長手軸の間の角度も調節することができる。
したがって好ましくは、角度支持体の位置を特に簡単なやり方で構成部品上のそれぞれの条件に適合させることができる。
【００１３】
その場合に、長手支持体を長手方向に摺動可能に配置するために、挿通開口部が長穴として形成されていると、効果的である。
長穴は、長手方向において結合部材よりも大きい広がりを有しているので、結合部材は長穴に沿って摺動することができる。
他方で、結合部材が長穴の横方向において正確な嵌め合いで、すなわちあそびなしで、長穴内に配置されているので、結合部材が長穴に沿って摺動する際に案内されると、効果的である。
【００１４】
一方で長手支持体の間の間隔を、そして他方で長手支持体の角度位置を、簡単なやり方で適合させることができるようにするために、
結合部材が一方の長手支持体の挿通開口部内に実質的に正確な嵌め合いで、そして他方の長手支持他の挿通開口部内では長手支持体の長手方向に摺動可能に配置されていると、効果的である。
【００１５】
長手支持体を予め定められた平面内に固定するために、長手支持体が、２つの結合部材を挿通するために、長手方向に離隔したそれぞれ少なくとも２つの挿通開口部を有していると、効果的である。
この形態によれば、長手支持体の間に少なくとも２つの結合部材が設けられており、それらの結合部材が長手支持体の対向する挿通開口部を貫通する。
【００１６】
結合部材がそれぞれ、長手支持体の長手方向に離隔した複数の挿通開口部の一方の挿通開口部内に実質的に正確な嵌め合いで、そして他方の挿通開口部内に長手支持体の長手方向に摺動可能に配置されていると、特に効果的である。
それによって好ましくは、長手支持体の互いに対する間隔及び角度位置を調節することができる。
長手支持体を角度をもって配置するために、長手支持体は結合部材上で異なる距離摺動することができる。
この形態においては、さらに、長手支持体は互いに対して長手方向に固定されている。
したがって好ましくは、長手支持体の間の横間隔と角度を適合させることができ、その場合に長手支持体を互いに対して長手方向に摺動させることはない。
【００１７】
長手支持体の間の最大の間隔もしくは最大の角度を調節するために、結合部材が挿通開口部を貫通する一方の端部において外側のストッパ部材と結合されており、そのストッパ部材によって長手支持体の外側へ向かう摺動が制限可能であると、効果的である。
その場合に外側のストッパ部材は、長手支持体の、それぞれ対向する長手支持体とは逆の側に配置されている。
ストッパ機能を満たすために、ストッパ部材は長手支持体の付属の挿通開口部よりも大きい広がりを有している。
外側のストッパ部材へ達した場合に、結合部材に沿った長手支持体の外側へ向かう、すなわちそれぞれ他方の長手支持体から遠ざかる摺動が、外側のストッパ部材によってブロックされる。したがって外側のストッパ部材によって、長手支持体の間の最大の間隔もしくは長手支持体の間の最大の角度が定められる。
【００１８】
長手支持体の摺動を制限するために、外側のストッパ部材として、結合部材の拡幅された端部領域あるいは結合部材上に配置されたディスク部材又は結合部材の横孔に挿通されるボルト部材が設けられていると、効果的である。
その場合に、外側のストッパ部材の種々の形態を設けることができる。
ストッパ部材として拡幅された端部領域を使用することは、製造及び組み立ての手間と費用に関して、特に効果的である。
ストッパ部材としてディスク部材又はボルト部材が設けられている場合には、特に簡単な、たとえばパイプ形状の結合部材を使用することができ、その上にディスク形状又はボルト形状のストッパ部材が取り付けられる。
【００１９】
長手支持体の間の最小の間隔を調節するために、長手支持体の間の結合部材が内側のストッパ部材と結合されており、その内側のストッパ部材によって長手支持体の内側へ向かう摺動が制限可能であると、効果的である。
内側のストッパ部材に達した場合に、長手支持体は内側へ向かって、すなわちそれぞれ他方の長手支持体の方向へ、それ以上摺動することをブロックされる。
結合部材が２つの対向する挿通開口部内で摺動可能である場合に、内側のストッパ部材は、好ましくはそれぞれ、一方の長手支持体の摺動を制限するためのストッパ面と他方の長手支持体の摺動を制限するための他のストッパ面とを有している。
最小の間隔は、好ましくは、多重支持体の長手支持体の間の内側のストッパ位置内に、長手方向に連続する他の多重支持体の他の長手支持体が配置可能であるように、寸法設計される。
【００２０】
内側のストッパ位置を得るために、内側のストッパ部材として結合部材の回りに配置されたスリーブ部材もしくはディスク部材又はボルト部材が設けられていても、効果的である。
スリーブ部材は、溶接結合を介して結合部材と結合することができる。
代替的な形態によれば、長手支持体の間の結合部材が横断面変化、たとえば打ちつぶしを有し、その横断面変化によって長手支持体が内側へ向かって、横断面変化を越えて摺動することが、ブロック可能である。
【００２１】
一次支持体上で多重支持体を滑り移動しないように固定するために、少なくとも１つの長手支持体が少なくとも一方の端面側にストッパを有し、そのストッパが、駆動位置に関して、長手支持体の下側から下方へ張り出していると、効果的である。
それによって支持装置を構築する場合の安全性を向上させることができる。
これは特に、支持装置上に型枠パネルが取り付けられる場合に、効果的である。
それによってさらに、長手支持体の端面を保護することができる。
このストッパは、長手支持体の端面側の下側にストリップ形状に形成することができる。
代替的にストッパは、好ましくは長手支持体の端面をカバーする、カバープレートの下方の端部に形成することができる。
それによって多重支持体の組み立てが簡単になる。
【００２２】
さらに、長手支持体の少なくとも１つが、型枠パネルのための固定ストリップを、特に取り外し可能に収容するための上側の切り欠きを有していると、効果的である。
型枠パネルを固定するために、固定ストリップが釘打ち可能であり、すなわち釘を設けることができる。
切り欠きを形成するために、特に、長手支持体がプロフィール部材として、特に押し出し加工プロフィールとして、形成されていると、効果的である。プロフィール部材は側壁を有しており、その側壁内に挿通開口部が形成されている。
好ましくはプロフィール部材は、さらに、上方へ向かって、すなわち型枠パネルのための載置面の方向に、拡幅した横断面形状を有している。
好ましくはプロフィール部材は、アルミニウムから形成されている。
結合部材は、同様にアルミニウムから形成することができる。しかし強度の理由から、結合部材は鋼から形成することもできる。
この形態は、安定性の理由から効果的である。
さらにこの形態において、結合部材は、内側のストッパ部材を形成するために特別なやり方で打ちつぶしを有することができる。
結合部材を鋼から形成することの欠点は、アルミニウムからなる形態に比べて重量が増加することである。
【００２３】
少なくとも１つの型枠パネルを支持するために、複数の多重支持体が設けられており、その場合に多重支持体の下側が少なくとも１つの一次支持体上に支持可能であると、効果的である。
駆動位置において、複数の多重支持体が同一の水平の平面内に配置されている。
この種の一次支持体は、それ自体従来技術から知られている。
一次支持体は、支持部材を介してコンクリート構造に支持可能である。
【００２４】
以下、図面に示す好ましい実施例を用いて本発明をさらに説明するが、本発明はそれらの実施例に限定されるものではない。
【図面の簡単な説明】
【００２５】
【図１】長手支持体の互いに対する摺動を可能にするために、結合部材を挿通するための挿通開口部を備えた、それぞれ２つの長手支持体からなる多重支持体を有するコンクリート型枠を支持するための本発明に係る装置を示す斜視図である。
【図２】実質的に図１に従って形成された多重支持体を示す斜視図であって、長手支持体が互いに対して最大の間隔で配置されている。
【図３】図２と同様な多重支持体の斜視図であって、長手支持体は互いに対して最小の間隔で配置されている。
【図４】実質的に図２、３に従って形成された多重支持体の斜視図であって、長手支持体は互いに対して角度を有する位置で配置されている。
【図５】図２のＶ−Ｖ線に沿って示す断面図である。
【発明を実施するための形態】
【００２６】
図１は、従来の天井型枠（図示せず）を支持するための支持装置１を示している。
型枠部材は、１枚又は複数枚の型枠パネルから形成することができる（図示せず）。
支持装置１は、複数の多重支持体２を有しており、それらの多重支持体はそれぞれ２つの互いに対して距離をおいて配置された長手支持体３から構成されている。多重支持体は、同一の水平の平面内に配置されている。
図示の形態において、多重支持体２は２列で配置されており、その場合に長手支持体３の互いに向き合う端部が互いに重なるように配置されている。
支持装置１はさらに一次支持体４を有しており、その上に多重支持体２が載置されている.一次支持体４は、（図示されない）支持部材上に支持されている。
【００２７】
図２〜４から明らかなように、長手支持体３は結合部材５を介して互いに結合されており、その場合に各多重支持体２は正確に２つの結合部材５を有している。
後述するように、多重支持体２の長手支持体３の間の間隔と角度は、結合部材５によって調節することができる。
【００２８】
図２〜４から明らかなように、長手支持体３は結合部材５を挿通するための挿通開口部６を有している。
結合部材５は、挿通開口部６の内部において長手支持体３の長手方向に対して垂直に予め定められた区間にわたって自由に摺動することができる。
結合部材５は、長手支持体３の互いに対向する挿通開口部６内に配置されており、その場合に結合部材５は、一方の長手支持体３においては実質的に正確な嵌め合いで挿通開口部６内に配置されており、それぞれ他方の長手支持体３においては長手支持体３の長手方向に摺動可能に、対向する挿通開口部６内に配置されている。
この目的のために、長手支持体３はそれぞれ２つの、長手方向に離隔した挿通開口部６を有し、その場合に長手支持体３の一方の挿通開口部６が結合部材５の正確な嵌め合いの配置を可能にし、他方の挿通開口部６は結合部材５の、長手支持体３の長手方向に摺動可能な配置を可能にする。
そのために、一方の挿通開口部６は円穴７として形成されており、その中に結合部材５の一方の端部が配置されている。
他方の挿通開口部６は長穴８として形成されており、それが長穴８に沿って長手支持体３が長手方向に摺動することを許す。
【００２９】
図２〜４からさらに明らかなように、結合部材５は挿通開口部６に挿通された端部においてそれぞれ外側のストッパ部材９と結合されており、そのストッパ部材によって長手支持体３の外側へ向かう、対向する長手支持体３から離れる方向の摺動が制限可能となる。
【００３０】
図２、３によれば、外側のストッパ部材９としてディスク部材１０が設けられており、そのディスク部材が結合部材５の外側の端部に差し嵌められている。その場合にディスク部材１０は、結合部材５を貫通するボルト部材１１によって固定されている。
さらに、ディスク部材１０を省くことができ、その場合に外側のストッパ部材９は、ボルト部材１１によって形成されている（図示せず）。
【００３１】
図３によれば、外側のストッパ部材９として、結合部材５の拡幅され、もしくは広げられた端部１２が設けられている。
この形態においては、外側のストッパ部材９は結合部材５と一体的に形成されている。
【００３２】
図２〜４からさらに明らかなように、多重支持体２の長手支持体３の間の結合部材５がさらに内側のストッパ部材１３と結合されており、その内側のストッパ部材によって長手支持体３の、それぞれ対向する長手支持体３の方向へ、内側に向かう摺動が制限される。
内側のストッパ部材１３として、結合部材５を包囲するスリーブ部材１４（図５も参照）が設けられており、そのスリーブ部材は結合部材５と溶接され、あるいは圧着されている。
【００３３】
図２〜４は、支持装置１の多重支持体２を種々の位置で示している。
図２によれば、長手支持体３は互いに対して最大の間隔で配置されており、その場合に長手支持体３は外側のストッパ位置にある。
図３によれば、長手支持体３は互いに対して最小の間隔で配置されており、その場合に長手支持体３はスリーブ部材１４に設けられた内側のストッパ位置にある。その場合に結合部材５は、長手支持体３から外側へ張り出している。
図４によれば、長手支持体３は互いに対して角度のある位置に配置されている。その場合に一方の結合部材５が外側のストッパ位置にあって、他方の結合部材５が内側のストッパ位置にあるので、長手支持体３の長手方向の間に角度が形成されている。
【００３４】
図２〜４からさらに明らかなように、長手支持体３は端面側にそれぞれストッパ１５を有しており、そのストッパによって多重支持体２の、その下方にある一次支持体４に対する摺動が制限される。
【００３５】
図２〜４によれば、ストッパ１５はストリップ形状に形成されており、その場合にストッパ１５は長手支持体４の端面側の下端縁から下方へ屈曲されている。
【００３６】
図１、５によれば、ストッパ１５はカバープレート１６の下方の端部に形成されており、その場合にカバープレート１６は長手支持体３の端面を覆っている。この形態は、製造技術的かつ使用に耐える理由から効果的である。
【００３７】
図５は多重支持体２を結合部材５に沿った横断面で示している。その場合に多重支持体２の長手支持体３は、特にアルミニウムからなる、プロフィール部材として形成されている。
図示の形態において、長手支持体３のプロフィール部材は、横断面において上へ向かって、すなわち（図示されない）型枠パネルのための載置面の方向へ、拡幅されている。
プロフィール部材の上側に切り欠き１７が形成されており、その場合に（図示されない）型枠パネルと堅固に結合するための固定ストリップ１８を釘付けすることができる。
図示の形態において、重量とコストの理由から一方の長手支持体３内にだけ固定ストリップ１８が設けられており、その場合に他方の長手支持体３内の切り欠き１７はからのままとなる。
【図１】
0006514214.tif 000002
【図２】
0006514214.tif 000003
【図３】
0006514214.tif 000004
【図４】
0006514214.tif 000005
【図５】
0006514214.tif 000006